(57)【要約】【課題】片手がふさがっている場合であっても、カメラのモードを容易に変更することができるデジタルカメラを提供する。【解決手段】カメラ本体の背面に配置され、ユーザが当該カメラ本体に対して息を吹きかけたことを検出する息検出部２３と、カメラ本体の背面に配置され、息検出部２３により息の吹きかけが検出された場合に、当該カメラ本体の背面側におけるユーザの存在を検出するユーザ検出部２２と、所定の方向に対するカメラ本体の傾きを検出する傾き判定部２５と、息検出部２３により息の吹きかけ及びユーザ検出部によるユーザの存在が検出された際に、傾き判定部２５により判定された傾きと息の吹きかけとに応じたモードに設定するモード設定部５６とを具備する。【選択図】図１
2012054719.tif 000002
【特許請求の範囲】
【請求項１】
カメラ本体の背面に配置され、ユーザが当該カメラ本体に対して息を吹きかけたことを検出する息検出手段と、
前記カメラ本体の背面に配置され、当該カメラ本体の背面側におけるユーザの存在を検出するユーザ検出手段と、
所定の方向に対する前記カメラ本体の傾きを判定する傾き判定手段と、
前記息検出手段により前記息の吹きかけが検出され、且つ、前記ユーザ検出手段により前記ユーザの存在が検出された際に、前記傾き判定手段により判定された傾きと前記息の吹きかけとに応じたモードに設定するモード設定手段と、
を具備することを特徴とするデジタルカメラ。
【請求項２】
前記ユーザ検出手段は、前記息検出手段により前記息の吹きかけが検出された場合に、当該カメラの背面側における前記ユーザの検出を行うことを特徴とする請求項１に記載のデジタルカメラ。
【請求項３】
前記ユーザ検出手段は、
当該カメラの背面側を撮影可能な背面撮像手段と、
前記背面撮像手段によって撮影された画像データを解析する画像データ解析手段と、
を含み、
前記画像データ解析手段によって人物の顔が認識された場合に、当該カメラの背面側にユーザが存在していると判定することを特徴とする請求項１又は２に記載のデジタルカメラ。
【請求項４】
前記息検出手段は、
所定の音声を認識する音声認識手段と、
前記音声認識手段によって前記所定の音声が所定の時間内に認識された回数を判定する回数判定手段と、
を含むことを特徴とする請求項１〜３のいずれか１項に記載のデジタルカメラ。
【請求項５】
前記モード設定手段は、前記検出された傾きと、前記回数判定手段により判定された前記所定の音声の回数とに応じてモードの変更処理を行うことを特徴とする請求項４に記載のデジタルカメラ。
【請求項６】
前記モード設定手段は、前記検出された傾きが所定の場合に、当該カメラの撮影モードと再生モードとを切り替えることを特徴とする請求項１〜５のいずれか１項に記載のデジタルカメラ。
【請求項７】
レンズ鏡筒と、
前記レンズ鏡筒を移動させるための所定のズーム値が記憶されたズーム値記憶手段と、
前記レンズ鏡筒を駆動する駆動手段と、
をさらに具備し、
前記モード設定手段は、当該カメラ本体の傾きに応じて予め定められたズーム値を、当該カメラの背面にユーザが位置していることが検出され、且つ、前記カメラ本体の傾きが検出された際に、前記ズーム値記憶手段から読み出し、前記駆動手段を制御して当該読み出した前記ズーム値に基づいて前記レンズ鏡筒を移動させることを特徴とする請求項１〜６のいずれか１項に記載のデジタルカメラ。
【発明の詳細な説明】
【技術分野】
【０００１】
本発明は、デジタルカメラに関し、詳しくは、デジタルカメラにおける入力操作を容易化する技術に関する。
【背景技術】
【０００２】
デジタルカメラで撮影を行う際に片手に荷物を持っている場合、ユーザは、荷物を持っていない方の片手でカメラの保持及び操作を行わなければならない。このような所謂片手撮影を行う場合、両手でカメラを保持している場合に比較して操作が困難であるため、シャッタチャンスを逃してしまうことがある。
【０００３】
このような片手操作を行うときのために、カメラ背面側から見てカメラボディの中心線から右側に、撮影に必要な全ての操作部材を配置したデジタルカメラが提案されている（特許文献１参照）。また、人間の日常生活で行われる種々の動作（例えば、息を吹きかける等）により対象物の操作を行う入出力システムも提案されている（例えば、特許文献２参照）。特許文献２においては、健常者のみならず、身体の不自由な人や、複雑な操作を苦手とする幼児や子供にも容易に操作できる入出力装置や、描画装置や、遊戯装置等を実現するために、スクリーン上に仮想的に描かれた任意の図形や文字を対象物としてユーザが息を吹きかける動作を行うと、息を吹きかけることにより生成された熱画像を検出し、検出された熱画像の重心変化や温度変化等に応じて上記対象物を仮想的に移動させるようにしている。
【先行技術文献】
【特許文献】
【０００４】
【特許文献１】特開２００２−３５４３１５号公報
【特許文献２】特開２００８−１８１４３４号公報
【発明の概要】
【発明が解決しようとする課題】
【０００５】
しかしながら、上記特許文献１においては、操作部材の配置を片側に寄せて配置したとしても、片手のみの操作では、やはり種々の設定に時間がかかってしまい、シャッタチャンスを逃してしまうことがある。また、上記特許文献２においては、スクリーン上に仮想的に表示された図形や文字の移動や回転を制御対象としているため、デジタルカメラのように複雑な操作が必要な装置に適用することは困難である。即ち、ユーザの動作により生成された熱画像を検出し、この熱画像の重心変化や温度変化等に応じて制御を行う装置では、装置が大型化すると共に、検出精度が低くなり、タイムリーな処理が難しくなるおそれがある。
【０００６】
本発明は、上記に鑑みてなされたものであって、片手がふさがっている場合であっても、カメラのモードを容易に変更することができるデジタルカメラを提供することを目的とする。
【課題を解決するための手段】
【０００７】
上述した課題を解決し、目的を達成するために、本発明に係るデジタルカメラは、カメラ本体の背面に配置され、ユーザが当該カメラ本体に対して息を吹きかけたことを検出する息検出手段と、前記カメラ本体の背面に配置され、当該カメラ本体の背面側におけるユーザの存在を検出するユーザ検出手段と、所定の方向に対する前記カメラ本体の傾きを判定する傾き判定手段と、前記息検出手段により前記息の吹きかけが検出され、且つ、前記ユーザ検出手段により前記ユーザの存在が検出された際に、前記傾き判定手段により判定された傾きと前記息の吹きかけとに応じたモードに設定するモード設定手段と、を具備することを特徴とする。
【０００８】
上記デジタルカメラにおいて、前記ユーザ検出手段は、前記息検出手段により前記息の吹きかけが検出された場合に、当該カメラの背面側における前記ユーザの検出を行うことを特徴とする。
【０００９】
上記デジタルカメラにおいて、前記ユーザ検出手段は、当該カメラの背面側を撮影可能な背面撮像手段と、前記背面撮像手段によって撮影された画像データを解析する画像データ解析手段とを含み、前記画像データ解析手段によって人物の顔が認識された場合に、当該カメラの背面側にユーザが存在していると判定することを特徴とする。
【００１０】
上記デジタルカメラにおいて、前記息検出手段は、所定の音声を認識する音声認識手段と、前記音声認識手段によって前記所定の音声が所定の時間内に認識された回数を判定する回数判定手段とを含むことを特徴とする。
【００１１】
上記デジタルカメラにおいて、前記モード設定手段は、前記検出された傾きと、前記回数判定手段により判定された前記所定の音声の回数とに応じてモードの変更処理を行うことを特徴とする。
【００１２】
上記デジタルカメラにおいて、前記モード設定手段は、前記検出された傾きが所定の場合に、当該カメラの撮影モードと再生モードとを切り替えることを特徴とする。
【００１３】
上記デジタルカメラにおいて、レンズ鏡筒と、前記レンズ鏡筒を移動させるための所定のズーム値が記憶されたズーム値記憶手段と、前記レンズ鏡筒を駆動する駆動手段と、をさらに具備し、前記モード設定手段は、当該カメラ本体の傾きに応じて予め定められたズーム値を、当該カメラの背面にユーザが位置していることが検出され、且つ、前記カメラ本体の傾きが検出された際に、前記ズーム値記憶手段から読み出し、前記駆動手段を制御して当該読み出した前記ズーム値に基づいて前記レンズ鏡筒を移動させることを特徴とする。
【発明の効果】
【００１４】
本発明によれば、デジタルカメラに対する息の吹きかけとカメラ本体の傾きとに応じてモードの変更処理を行うので、荷物等により片手がふさがっている場合であっても、入力ボタン等の操作部材を操作することなく、デジタルカメラのモードを容易に変更することができる。
【図面の簡単な説明】
【００１５】
【図１】図１は、本発明の一実施の形態に係るデジタルカメラの構成を示すブロック図である。
【図２】図２は、図１に示すデジタルカメラの外観を示す斜視図である。
【図３】図３は、息の吹きかけにより入力操作を行う様子を示す模式図である。
【図４】図４は、息の吹きかけの音声入力パターンを示す図である。
【図５】図５は、図１に示すデジタルカメラの動作を示すフローチャートである。
【図６】図６は、息の吹きかけによる入力操作及び対応する処理内容を示す表である。
【図７】図７は、デジタルカメラの傾きと撮像部への入力状態との関係を示す模式図である。
【図８】図８は、撮影モード時吹きかけ検出処理におけるデジタルカメラの動作を示すフローチャートである。
【図９】図９は、顔検出処理におけるデジタルカメラの動作を示すフローチャートである。
【図１０】図１０は、ズームイン処理を示すフローチャートである。
【図１１】図１１は、設定可能なズーム倍率の例を示す図である。
【図１２】図１２は、ズームアウト処理を示すフローチャートである。
【図１３】図１３は、フラッシュ設定変更処理を示すフローチャートである。
【図１４】図１４は、マクロモード変更処理を示すフローチャートである。
【図１５】図１５は、ホワイトバランス設定変更処理を示すフローチャートである。
【図１６】図１６は、再生モードにおけるデジタルカメラの動作を示すフローチャートである。
【図１７】図１７は、再生モード時吹きかけ検出モード（１）を示すフローチャートである。
【図１８】図１８は、再生モード時吹きかけ検出モード（２）を示すフローチャートである。
【発明を実施するための形態】
【００１６】
以下、図面を参照して、本発明を実施するための形態（以下、「実施の形態」という）について説明する。なお、以下に説明する実施の形態によって本発明が限定されるものではない。また、図面の記載において、同一の部分には同一の符号を付している。
【００１７】
図１は、本実施の形態に係るデジタルカメラ（以下、単にカメラともいう）の構成を示すブロック図である。また、図２は、図１に示すカメラ１の外観を示す斜視図であり、図２（ａ）はカメラ１の正面側を示しており、図２（ｂ）はカメラ１の背面側を示している。図３は、カメラ１に対して息の吹きかけによる入力操作を行う様子を示す模式図である。図３に示すように、カメラ１においては、操作ボタン等を用いた一般的な入力操作に加えて、ユーザ（撮影者又は再生操作等を行う操作者）１００がカメラ１の背面側に息を吹きかけることによっても入力操作を行うことができる。
【００１８】
図１〜図３に示すように、デジタルカメラ１は、被写体撮像部１０と、操作入力部２１と、ユーザ検出部２２と、息検出部２３と、加速度センサ２４と、傾き判定部２５と、表示部３０と、記録媒体インタフェース４１と、不揮発性メモリ４２と、揮発性メモリ４３と、システムコントローラ５０とを備える。
【００１９】
被写体撮像部１０は、カメラ１の正面側に設けられたレンズ部２と、レンズ駆動部３と、絞り駆動部４と、シャッタ駆動部５と、撮像素子６と、信号処理部（Ａ／Ｄ）７とを含み、正面側に存在する被写体を撮影する。また、カメラ１の正面側には、発光部８がさらに設けられている。
【００２０】
レンズ部２は、フォーカス及びズーム可能な複数のレンズ群によって構成され、レンズ駆動部３によって、フォーカスに寄与するレンズ群が光軸Ｑ上を移動することにより撮像素子に画像を結像させたり、ズームに寄与するレンズ群が光軸Ｑ上を移動することにより画角を変化させる。
【００２１】
レンズ駆動部３は、ステッピングモータやＤＣモータ等によって構成されており、レンズ部２のフォーカスやズームに寄与するレンズ群を光軸Ｑ上で移動させることによりレンズ部２の焦点位置や焦点距離の変更を行う。
【００２２】
絞り駆動部４は、絞り４ａを駆動することによりレンズ部２から入ってくる光の入射量を調整する。
【００２３】
シャッタ駆動部５は、シャッタ５ａを駆動することにより、撮像素子６における撮影時の露光時間を調節する。
【００２４】
撮像素子６はＣＣＤ（Charge  Coupled  Device）やＣＭＯＳ（Complementary  Metal  Oxide  Semiconductor）等によって構成され、レンズ部２によって結像された光を受光して電気信号（アナログ信号）に変換し、変換した電気信号を信号処理部７に出力する。
【００２５】
信号処理部（Ａ／Ｄ）７は、撮像素子６から出力される電気信号に増幅等の信号処理を施した後、Ａ／Ｄ変換を行うことによりデジタルの画像データに変換する。
【００２６】
発光部８は、カメラ１に内蔵されたエレクトロニックフラッシュであり、所定のタイミングで発光することにより撮影時の光量を補う。
【００２７】
操作入力部２１は、図２に示すように、カメラ１の電源状態をオン状態又はオフ状態に切り替える電源スイッチ２１ａと、静止画撮影の指示を与えるレリーズ信号を入力するレリーズスイッチ２１ｂと、カメラ１のモード（撮影モード／再生表示モード等）を切り替えるモード切換スイッチ２１ｃと、カメラ１の各種設定を行う操作スイッチ２１ｄと、レンズ部２のズーム操作を行うズームスイッチ２１ｅとを有する。
【００２８】
ユーザ検出部２２は、カメラ１の背面側（カメラ１を操作するユーザ側）に設けられた背面撮像部２２ａと、画像データ解析部２２ｂと、判定部２２ｃとを有する。
背面撮像部２２ａは、被写体撮像部１０と同様に、フォーカス可能な複数のレンズ群によって構成されるレンズ部１１と、レンズ駆動部１２と、絞り１３ａを駆動する絞り駆動部１３と、ＣＣＤ又はＣＭＯＳ等によって構成され、カメラ１の背面側からレンズ部１１を介して入射する光を受光して電気信号に変換する撮像素子１４と、撮像素子１４から出力される電気信号を増幅し、さらにＡ／Ｄ変換を施す信号処理部（Ａ／Ｄ）１５とを備える。また、背面撮像部２２ａの近傍には、発光部１６が設けられている。なお、背面撮像部２２ａをユーザの存在の有無を検出するためだけに使用する場合には、レンズ部１１をパンフォーカスで構成して、レンズ駆動部１２や発光部１６を省いても構わない。
【００２９】
図３に示すように、ユーザ検出部２２は、カメラ１の背面側のユーザ１００を撮影して画像データを生成する。画像データ解析部２２ｂは、背面撮像部２２ａにより生成された画像データに人物の顔が含まれるか、含まれる場合にはその位置はどこかを解析する。判定部２２ｃは、画像データ解析部２２ｂにより人物の顔が含まれると認識された場合に、カメラ１の背面側にユーザが存在すると判断し、検出範囲（背面撮像部２２ａの視野）における人物の顔の位置を表す信号を出力する。
【００３０】
息検出部２３は、カメラ１の背面側に設けられた音声入力部（マイク）２３ａと、音声認識部２３ｂと、回数判定部２３ｃとを有する。音声入力部２３ａは、例えば集音マイクであり、カメラ１の背面側における音声を集音する。音声認識部２３ｂは、音声入力部２３ａにより集音された音声の波形を一時的に記憶すると共に、この波形の周波数及び長さを解析することにより、人の息の吹き付け音を認識する。
【００３１】
ここで、図４は、息の吹きかけの音声入力パターンの一例を示す図である。図４に示すように、息の吹きかけ音は、所定の周波数（例えば周波数３００Ｈｚ近傍）の音声が所定の時間（例えば０．４〜０．６秒程度）続くパターンを有する。このようなパターンに基づき、音声認識部２３ｂは、例えば、音声入力部２３ａに３００Ｈｚ近傍の音声が０．４〜０．６秒間に渡って入力された場合に、１回の吹きかけ音があったものと認識する。回数判定部２３ｃは、音声認識部２３ｂにより息の吹きかけ音が認識された場合に、所定の期間（例えば２秒間）内に認識された吹きかけ音の回数を判定して、息検出回数を表す信号を出力する。
【００３２】
加速度センサ２４は、カメラ１の加速度を測定することにより、カメラ１の光軸Ｑに直交する面（以下、「基準面」と呼ぶ）の鉛直方向に対する角度を検出する。
【００３３】
傾き判定部２５は、加速度センサ２４から出力された検出信号に基づいて、鉛直方向に対するカメラ１の基準面の傾き（角度及び向き）を判定する。また、傾き判定部２５は、ユーザ検出部２２から出力された人物の顔の位置を表す信号に基づいてカメラ１の基準面の傾きを判定しても良い。なお、判定方法については後述する。
【００３４】
表示部３０は、液晶または有機ＥＬ（Electro  Luminescence）等からなる表示パネルを用いて実現され、被写体撮像部１０において撮像された画像の表示、カメラ１の操作情報および撮影に関する情報（例えば、各種モードの現在の設定を表すアイコン等）の表示、或いは被写体撮像部１０において撮像された画像に操作情報等を合成した画像の表示等を適宜行なう。
【００３５】
記録媒体インタフェース４１は、カメラ１の外部から装着されるメモリカード等の記録媒体４１ａと、記録媒体コントローラ４１ｂとを含む。記録媒体コントローラ４１ｂは、画像処理部５１において画像処理を施された画像データを記録媒体４１ａに格納する一方、後述するモード設定部５６によって再生モードに設定された際に、記録媒体４１ａに格納された情報を読み出す。読み出された画像データは、表示制御部５５によって表示部３０に表示される。
【００３６】
不揮発性メモリ４２は、例えばフラッシュメモリ等により実現される。不揮発性メモリ４２は、カメラ１を各種設定モードで動作させるためのプログラムを記憶したプログラム記憶部４２ａや、各設定モードにおける制御パラメータ等を記憶した制御パラメータ記憶部４２ｂを含む。制御パラメータ記憶部４２ｂには、例えば、ズームイン又はズームアウトを指示する信号がカメラ１に入力された場合に、レンズ部２を収納するレンズ鏡筒の現在の位置を認識するための情報として、所定の基準位置からの移動量（パルス数）とレンズ鏡筒の位置との関係が記憶されている。この関係は、レンズ鏡筒の位置とズーム値との関係を表すパラメータ値として用いられる。
【００３７】
揮発性メモリ４３は、ＳＤＲＡＭ（Synchronous  Dynamic  Random  Access  Memory）等によって実現される。揮発性メモリ４３は、信号処理部７から出力される画像データが画像処理部５１において処理される際に処理中の情報が一時的に記録されるワークエリア４３ａを有する。
【００３８】
システムコントローラ５０は、ＣＰＵ（Central  Processing  Unit）等により実現され、カメラ１の動作を統括的に制御する。即ち、システムコントローラ５０は、操作入力部２１からの操作信号に応じて不揮発性メモリ４２からプログラムを読み出して実行し、カメラ１を構成する各部に対する指示やデータの転送等を行う。システムコントローラ５０は、画像処理部５１と、レンズ制御部５２と、絞り制御部５３と、フラッシュ制御部５４と、表示制御部５５と、モード設定部５６とを有する。
【００３９】
画像処理部５１は、信号処理部７においてＡ／Ｄ変換されたデジタルの画像データに対し、エッジ強調、カラーバランス（ＲＧＢ）、色補正、及びγ補正、ホワイトバランス調整等の画像処理を施し、さらにＪＰＥＧ圧縮された画像データを生成する処理や、記録媒体４１ａから読み出されたＪＰＥＧ圧縮された画像データの展開処理に対応した画像処理等を行う。なお、ホワイトバランス調整モードとしては、光源の色を検知して適正な色で写るように自動設定を行うオートモードと、晴天下において適正な色で写るように色補正を行う晴天モードと、曇天下において適正な色で写るように色補正を行う曇天モードと、電球下において適正な色で写るように色補正を行う電球モードと、蛍光灯下において適正に発色するように色補正を行う蛍光灯モードとが、ユーザにより選択可能となっている。
【００４０】
レンズ制御部５２は、自動焦点制御（ＡＦ）信号やズーム信号に基づいてレンズ駆動部３を制御し、レンズ部２を構成する所定のレンズを光軸Ｑ上の所定の位置に移動させる。具体的には、レンズ制御部５２は、ＡＦモードが設定された場合、画像処理部５１から出力される画像データのコントラストに基づいて、撮影する被写体像のコントラストが最大となるようにレンズ駆動部３を制御してレンズ部２を構成する所定のレンズを移動させる。また、レンズ制御部５２は、マクロ撮影モード又は超マクロ撮影モードが設定された場合に、設定されたモードに応じた撮影範囲内で所定のレンズを移動させることにより自動焦点制御を行う。また、レンズ制御部５２は、後述するモード設定部５６からズームイン又はズームアウトの指示信号が入力された場合に、所定のズーム値となるように、レンズ駆動部３を介してレンズ部２を構成する所定のレンズを移動させる。
【００４１】
絞り制御部５３は、絞り駆動部４を制御することにより、撮像素子６に入射する光量を調節する。
【００４２】
フラッシュ制御部５４は、被写体を照明する発光部８の動作を制御する。具体的には、フラッシュ制御部５４は、被写体周辺が暗いときや逆光の際に自動的にフラッシュを発光させる「オート発光」モードと、暗い場所で人物を撮影する際に、数回フラッシュを発光させた後に本番のフラッシュ発光させることにより、目が赤く写る現象を軽減する「赤目軽減」モードと、撮影の状況に関係なくフラッシュを発光させる「強制発光」モードと、フラッシュの発光を禁止する「発光禁止」モードとの内から、設定されたモードに従って発光部８を動作させる。
【００４３】
表示制御部５５は、撮像時に、画像処理部５１において生成された画像データに対応する画像を所定の形式で表示部３０に表示させると共に、再生時には、記録媒体４１ａに記録されている画像データを画像処理部５１において展開することにより得られる画像を所定の形式で表示部３０に表示させる。なお、この際、画像とともに操作情報や撮影に関する情報等を合成して表示しても良い。
【００４４】
モード設定部５６は、操作入力部２１から出力された操作信号や、ユーザ検出部２２、息検出部２３、及び傾き判定部２５からの出力信号に基づいて所定のモードをカメラ１に設定し、或いは、所定の処理を行うようカメラ１の各部を制御する。
【００４５】
次に、図１に示すカメラ１の動作（以下、単に動作ともいう）について、図５を参照しながら説明する。図５は、カメラ１の動作を示すフローチャートである。
まず、ステップＳ１０１において、システムコントローラ５０は、カメラ１の電源がオン（ＯＮ）されているか否かを判定する。オンされていない場合（ステップＳ１０１：Ｎｏ）、カメラ１は動作を終了する。一方、オンされている場合（ステップＳ１０１：Ｙｅｓ）、システムコントローラ５０は初期設定を行う（ステップＳ１０２）。
【００４６】
続いて、ステップＳ１０３において、システムコントローラ５０は、カメラ１が撮影モードに設定されているか否かを判定する。このとき、図２に示すモード切換スイッチ２１ｃが撮影モードにセットされていると（ステップＳ１０３：Ｙｅｓ）、動作はステップＳ１０４に移行する。一方、モード切換スイッチ２１ｃが再生モードにセットされていると（ステップＳ１０３：Ｎｏ）、動作はステップＳ２００に移行する。
【００４７】
ステップＳ１０４において、システムコントローラ５０は、息検出部２３（音声入力部２３ａの電源）をオン（ＯＮ）して、音声検出処理を開始させる（ステップＳ１０５）。
続くステップＳ１０６において、息検出部２３は、息吹きかけ音の入力があるか否かを判定する。即ち、音声入力部２３ａに入力された音声から、周波数３００Ｈｚ付近の音声が０．４〜０．６秒間続くパターン（以下、「息吹きかけパターン」という：図４参照）が検出されると、息吹きかけ音の入力があると判定され（ステップＳ１０６：Ｙｅｓ）、動作はステップＳ１１０の撮影モード時吹きかけ検出モードに移行する。なお、撮影モード時吹きかけ検出モードについては後で詳しく説明する。
【００４８】
一方、このような息吹きかけパターンが検出されない場合に（ステップＳ１０６：Ｎｏ）、システムコントローラ５０は、レリーズスイッチ２１ｂが操作（全押）されて撮影を指示するレリーズ信号が入力されたか否かを判断する（ステップＳ１０７）。撮影を指示するレリーズ信号が入力されない場合（ステップＳ１０７：Ｎｏ）、動作はステップＳ１０９に移行する。一方、撮影を指示するレリーズ信号が入力された場合（ステップＳ１０７：Ｙｅｓ）、シャッタ駆動部５に対する指示信号が出力されて被写体に対する撮影が行われる（ステップＳ１０８）。それにより、撮像素子７から出力された電気信号に基づき信号処理部８においてＡ／Ｄ変換された画像データは、画像処理部５１において所定の画像処理を受けた後、記録媒体インタフェース４１の記録媒体コントローラ４１ｂの制御の下で、記録媒体４１ａに格納される。その後、カメラ１の電源がＯＦＦされると（ステップＳ１０９：Ｎｏ）、カメラ１は動作を終了する。一方、ＯＮの状態が継続されると（ステップＳ１０９：Ｙｅｓ）、動作はステップＳ１０３に戻る。
【００４９】
次に、カメラ１に対する息の吹きかけによる入力操作について、図６及び図７を参照しながら説明する。図６は、息の吹きかけによる入力操作と、そのときのカメラ１の傾きとの組み合わせに対応する処理内容とを示している。図６に示すように、カメラ１への入力操作は、息の吹きかけ回数に応じて複数のモードを設定できるように制御される。
【００５０】
例えば、図７（ａ）に示すように、カメラ１の傾きを０度(以下、撮影光軸Ｑと垂直な方向を０度とする)にして息を１回吹きかけると、撮影モードと再生モードとが交互に切り替わる。
【００５１】
また、撮影モード時に、図７（ｂ）に示すように、カメラ１をプラス４５度傾けて（即ち、カメラ１の上部を正面側に倒した状態）息を１回吹きかけると、ズームイン処理が行われる。反対に、図７（ｃ）に示すように、角度をマイナス４５度傾けて（即ち、カメラ１を背面側に倒した状態）息を１回吹きかけると、ズームアウト処理が行われる。さらに、角度を０度にして息を２回吹きかけるとフラッシュ設定が変更され、角度をプラス４５度にして息を２回吹きかけるとマクロ撮影設定が変更され、角度をマイナス４５度にして息を２回吹きかけるとホワイトバランス設定が変更される。
【００５２】
一方、再生モード時に、角度をプラス４５度にして息を１回吹きかけると、現在表示されている画像が１つ前の画像（例えば、撮影日時が直前の画像）に切り替わり、角度をマイナス４５度にして息を１回吹きかけると、現在表示されている画像が１つ後の画像（例えば、撮影日時が直後の画像）に切り替わる。
なお、息の吹きかけ回数とカメラ１の傾きとの組み合わせや、各組み合わせに対応する処理内容は、任意に設定することができる。
【００５３】
次に、図５のステップＳ１１０における撮影モード時吹きかけ検出モードについて説明する。図８は、撮影モード時吹きかけ検出モードにおけるカメラ１の動作を示すフローチャートである。
【００５４】
まず、ステップＳ１１１において、表示制御部５５は、撮影モード時吹きかけ検出モードに移行した旨を表す文字やアイコン等を表示部３０に表示させる。また、このとき、加速度センサ２４の電源がオン（ＯＮ）される。
【００５５】
続くステップＳ１１２において、ユーザ検出部２２は、ユーザ１００の顔を検出する処理を行い、検出領域におけるユーザ１００の顔の位置を表す信号を出力する。なお、顔検出処理の詳細については、後で説明する。
【００５６】
ステップＳ１１２においてユーザ１００の顔が検出された場合（ステップＳ１１３：Ｙｅｓ）、息を吹きかけたのはユーザ１００であると判断され、動作はステップＳ１１４に移行し、息の吹きかけを１つのパラメータとしてモードを変更する「息吹きかけ変更モード」に入る。一方、ユーザ１００の顔が検出されなかった場合（ステップＳ１１３：Ｎｏ）、動作はメインルーチンのステップＳ１０９に移行する。
【００５７】
ステップＳ１１４において、息検出部２３の回数判定部２３ｃは、図５のステップＳ１０６において、息の吹きかけが何回行われたかを判定する。即ち、音声認識部２３ｂに一時的に記憶されている波形に、周波数３００Ｈｚ近傍の波形が０．４〜０．６秒程続く息吹きかけパターン（図４参照）が、所定の時間内（例えば、２秒間）何回含まれるかを判定する。
【００５８】
息の吹きかけが１回と判定された場合（ステップＳ１１４：１回）は、動作はステップＳ１１５に移行する。また、息の吹きかけが２回と判定された場合（ステップＳ１１４：２回）は、動作はステップＳ１２１に移行する。さらに、息の吹きかけが３回以上であると判定された場合には（ステップＳ１１４：３回以上）、動作はメインルーチンに戻る。
【００５９】
ステップＳ１１５において、傾き判定部２５は、加速度センサ２４から出力された検出信号を受け付け、カメラ１の基準面の鉛直方向に対する角度の大きさを取得する。そして、この大きさから、カメラ１の傾きを判定する。
【００６０】
なお、カメラ１の傾きは、加速度センサ２４を用いる代わりに、背面撮像部２２ａにより撮像されたユーザ１００の顔の画像１２０に基づいて判定しても良い。例えば、図７（ａ）に示すように、ユーザ１００が、カメラ１の基準面Ｐが鉛直方向と略平行となるようにカメラ１を保持している場合、背面撮像部２２ａの検出範囲１１０の中央付近に顔の画像１２０が検出される。また、図７（ｂ）に示すように、ユーザ１００がカメラ１の上部を正面側に例えばプラス４５度程度倒して保持している場合、検出範囲１１０の下方に顔の画像１２０が検出される。反対に、図７（ｃ）に示すように、ユーザ１００がカメラ１の上部を自分側に例えばマイナス４５度程度倒して保持している場合、検出範囲１１０の上方に顔の画像１２０が検出される。このように、検出範囲１１０におけるユーザ１００の顔位置を解析することにより、背面撮像部２２ａを、ユーザ１００がカメラ本体の背面側に存在するか否かを検出するためだけではなく、この顔位置からカメラ１の傾きの方向（プラス側、マイナス側）を判別するためにも使用することもできる。この場合、傾き判定部２５は、ユーザ検出部２２からの出力（顔の画像１２０の位置を表す信号）に基づいてカメラ１の傾きの方向を判定する。或いは、傾き判定部２５は、加速度センサ２４からの出力信号と顔の画像１２０の位置を表す信号との両方に基づいて、カメラ１の傾きを判定しても良い。この場合には、加速度センサ２４の出力信号からカメラ１の傾き角を判定し、顔の画像１２０の位置を表す信号から傾きの方向（プラス／マイナス）を判定する。
【００６１】
ステップＳ１１６において、モード設定部５６は、傾き判定部２５により判定された傾きに応じて、実行する処理を決定する（図６の表参照）。即ち、息の吹きかけ回数が１回の場合において、カメラ１の傾きが０度である場合（ステップＳ１１６：０°）は、カメラ１を再生モードに切り替える（ステップＳ１１７）。また、上記傾きがプラス４５度である場合（ステップＳ１１６：＋４５°）は、ズームイン処理を行う（ステップＳ３００）。一方、上記傾きがマイナス４５度である場合（ステップＳ１１６：−４５°）は、ズームアウト処理を行う（ステップＳ３１０）。さらに、所定時間（例えば、５秒間）上記傾きが０度及び±４５度のいずれにもされなかった場合（ステップＳ１１６：その他）には、動作はメインルーチンに戻る。
【００６２】
なお、傾き判定部２５は、加速度センサ２４により検出されたカメラ１の角度の大きさを厳密に判定する必要はなく、ある程度の範囲（例えば、プラスマイナス２０％）を持って角度を判定しても良い。
さらに、ステップＳ１１７、Ｓ３００、Ｓ３１０における各処理の後、動作はメインルーチンに戻る。
【００６３】
一方、息の吹きかけ回数が２回と判定された場合（ステップＳ１１４：２回）には、ステップＳ１２１において、傾き判定部２５は、加速度センサ２４から出力された検出信号を受け付けてカメラ１の基準面の鉛直方向に対する角度を取得し、この角度から、カメラ１の傾きを検出する。或いは、ユーザ検出部２２からの出力信号に基づくユーザ１００の顔位置を用いてカメラ１の傾きを判定しても良い。傾きの判定方法については、ステップＳ１１５において説明したものと同様である。
【００６４】
ステップＳ１２２において、モード設定部５６は、傾き判定部２５により判定された傾きに応じて、実行する処理を決定する（図６の表参照）。即ち、カメラ１の傾きが０度である場合（ステップＳ１２２：０°）は、フラッシュ設定を変更する（ステップＳ４００）。上記傾きがプラス４５度である場合（ステップＳ１２２：＋４５°）は、マクロモードを変更する（ステップＳ４１０）。一方、上記傾きがマイナス４５度である場合（ステップＳ１２２：−４５°）は、ホワイトバランス設定を変更する（ステップＳ４２０）。さらに、所定時間（例えば、５秒間）上記傾きが０度及び±４５度のいずれにもされなかった場合（ステップＳ１２２：その他）には、動作はメインルーチンに戻る。
さらに、ステップＳ４００、Ｓ４１０、Ｓ４２０における各処理の後、動作はメインルーチンに戻る。
【００６５】
次に、ステップＳ１１３における顔検出処理について説明する。図９は、顔検出処理におけるカメラ１の動作を示すフローチャートである。
まず、ステップＳ１３１において、カメラ１は、背面撮像部２２ａの電源をＯＮして、動画撮影を開始する。続くステップＳ１３２において、ユーザ検出部２２は、背面撮像部２２ａによる動画撮影によって得られた画像データを画像データ解析部２２ｂに出力させることにより、顔認識処理を開始させる。ステップＳ１３３において、画像データ解析部２２ｂは、この画像データに基づいてパターンマッチングを行うことにより、人物の顔の画像を検出する。このとき、顔の画像が検出されない場合（ステップＳ１３４：Ｎｏ）、動作はメインルーチンに戻る。一方、顔の画像が検出された場合（ステップＳ１３４：Ｙｅｓ）、判定部２２ｃは、ユーザ１００がカメラ１の背面側に存在すると判断して、図７に示す検出範囲１１０における顔の画像１２０の位置（顔位置）を表す信号を出力する（ステップＳ１３５）。その後、カメラ１は、背面撮像部２２ａの電源をＯＦＦし（ステップＳ１３６）、メインルーチンに戻る。
【００６６】
次に、図８のステップＳ３００におけるズームイン処理について説明する。図１０は、ズームイン処理におけるカメラ１の動作を示すフローチャートである。
まず、ステップＳ３０１において、モード設定部５６は、現在のズーム位置を取得する。具体的には、モード設定部５６は、レンズ鏡筒の現在の位置を示す情報（即ち、所定の基準位置からのパルス数）と、制御パラメータ記憶部４２ｂから読み出したズーム値とを比較し、現在のズーム位置を判定する。続いて、ステップＳ３０２において、モード設定部５６は、現在のズーム位置がテレ端（Ｔ端）に達しているか否かを判定する。ズーム位置がテレ端である場合（ステップＳ３０２：Ｙｅｓ）、動作はメインルーチンに戻る。一方、ズーム位置がテレ端でない場合（ステップＳ３０２：Ｎｏ）、モード設定部５６は、現在のズーム位置を１段階テレ端側に移動（ズーム）させる指示信号をレンズ制御部５２に出力する（ステップＳ３０３）。それにより、ズーム倍率が１段階望遠側に変化する。例えば図１１に示すように、ズーム倍率が０．５倍刻みで設定されている場合、現在のズーム倍率が２倍であれば、この処理によりズーム倍率が２．５倍に変化する。その後、動作はメインルーチンに戻る。
【００６７】
次に、図８に示すステップＳ３１０におけるズームアウト処理について説明する。図１２は、ズームアウト処理を示すフローチャートである。
まず、ステップＳ３１１において、モード設定部５６は、現在のズーム位置を取得する。具体的には、モード設定部５６は、レンズ鏡筒の現在の位置を示す情報（即ち、所定の基準位置からのパルス数）と、制御パラメータ記憶部４２ｂから読み出したズーム値とを比較し、現在のズーム位置を判定する。続くステップＳ３１２において、モード設定部５６は、現在のズーム位置がワイド端（Ｗ端）に達しているか否かを判定する。ズーム位置がワイド端である場合（ステップＳ３１２：Ｙｅｓ）、動作はメインルーチンに戻る。一方、ズーム位置がワイド端でない場合（ステップＳ３１２：Ｎｏ）、モード設定部５６は、現在のズーム位置を１段階ワイド端側に移動（ズーム）させる指示信号をレンズ制御部５２に出力する（ステップＳ３１３）。それにより、ズーム倍率が１段階広角側に変化する。例えば図１１に示す場合には、現在のズーム倍率が２倍であれば、この処理によりズーム倍率が１．５倍に変化する。その後、動作はメインルーチンに戻る。
【００６８】
次に、図８に示すステップＳ４００におけるフラッシュ設定変更処理について説明する。図１３は、フラッシュ設定変更処理におけるカメラ１の動作を示すフローチャートである。
まず、ステップＳ４０１において、モード設定部５６は、現在のフラッシュの設定状態を取得する。そして、ステップＳ４０２〜Ｓ４０５において、現在の設定状態に対して変更される可能性が高いと思われる、即ち、使用頻度の高いモードとなるような新たな設定を行う。例えば、現在の設定が「発光禁止」モードである場合（ステップＳ４０１：発光禁止）、「オート発光」モードに設定する（ステップＳ４０２）。また、現在の設定が「オート発光」モードである場合（ステップＳ４０１：オート発光）、「赤目軽減」モードに設定する（ステップＳ４０３）。現在の設定が「赤目軽減」モードである場合（ステップＳ４０１：赤目軽減）、「強制発光」モードに設定する（ステップＳ４０４）。現在の設定が「強制発光」モードである場合（ステップＳ４０１：強制発光）、「発光禁止」モードに設定する（ステップＳ４０５）。なお、現在の設定状態に対する新たな設定モードは、任意に設計して良い。
【００６９】
続いて、モード設定部５６は、新たなフラッシュの設定を表す信号を表示制御部５５に出力して、表示部３０に表示されるアイコンを変更させる（ステップＳ４０６）。その後、動作はメインルーチンに戻る。フラッシュ制御部５４は、このようにして設定されたモードに従って、発光部８の動作を制御する。
【００７０】
次に、図８に示すステップＳ４１０におけるマクロモード変更処理について説明する。図１４は、マクロモード変更処理におけるカメラ１の動作を示すフローチャートである。
まず、ステップＳ４１１において、モード設定部５６は、現在のマクロモードの設定状態を取得する。そして、ステップＳ４１２〜Ｓ４１４において、現在の設定状態に対して変更される可能性が高いと思われる、即ち、使用頻度の高いモードとなるような新たな設定を行う。例えば、現在、マクロモードが設定されていない場合（ステップＳ４１１：マクロＯＦＦ）、通常のマクロモードに設定する（ステップＳ４１２）。また、現在、通常のマクロモードが設定されている場合（ステップＳ４１１：マクロ）、超マクロモードに設定する（ステップＳ４１３）。さらに、現在、超マクロモードが設定されている場合（ステップＳ４１１：超マクロ）、マクロモードの設定を解除する（ステップＳ４１４）。なお、現在の設定状態に対する新たな設定モードは、任意に設計して良い。
【００７１】
続いて、モード設定部５６は、新たなマクロモードの設定を表す信号を表示制御部５５に出力して、表示部３０に表示されるアイコンを変更させる（ステップＳ４１５）。その後、動作はメインルーチンに戻る。レンズ制御部５２は、このようにして設定されたマクロモードに従って、自動焦点制御を行う。
【００７２】
なお、本実施の形態においては、マクロモードでは、概ね物体から１ｍ〜∞、の距離を撮影可能な状態に設定することができ、超マクロモードでは、概ね物体から０．０２ｍ〜０．７ｍの距離を撮影可能な状態に設定することができる。
【００７３】
次に、図８に示すステップＳ４２０におけるホワイトバランス設定変更処理について説明する。図１５は、ホワイトバランス設定変更処理におけるカメラ１の動作を示すフローチャートである。
まず、ステップＳ４２１において、モード設定部５６は、現在のホワイトバランスの設定状態を取得する。そして、ステップＳ４２２〜Ｓ４２６において、現在の設定状態に対して変更される可能性が高いと思われる、即ち、使用頻度の高いモードとなるような新たな設定を行う。例えば、現在、蛍光灯モードが設定されている場合（ステップＳ４２１：蛍光灯）、オートモードに設定する（ステップＳ４２２）。また、現在、オートモードが設定されている場合（ステップＳ４２１：オート）、晴天モードに設定する（ステップＳ４２３）。現在、晴天モードが設定されている場合（ステップＳ４２１：晴天）、曇天モードに設定する（ステップＳ４２４）。現在、曇天モードが設定されている場合（ステップＳ４２１：曇天）、電球モードに設定する（ステップＳ４２５）。現在、電球モードが設定されている場合（ステップＳ４２１：電球）、蛍光灯モードに設定する（ステップＳ４２６）。なお、現在の設定状態に対する新たな設定モードは、任意に設計して良い。
【００７４】
続いて、モード設定部５６は、信号を表示制御部５５に出力して、表示部に表示されるアイコンを新たに設定されたホワイトバランスのアイコンに変更させる（ステップＳ４２７）。その後、動作はメインルーチンに戻る。画像処理部５１は、このようにして設定されたモードに従って、被写体撮像部１０により取得された画像データに対してホワイトバランス調整を行う。
【００７５】
次に、図５のステップＳ２００における再生モードの動作について説明する。図１６は、再生モードにおけるカメラ１の動作を示すフローチャートである。
モード設定部５６によりカメラ１が再生モードに設定されると（図５のステップ１０３：Ｎｏ）、モード設定部５６は、まず、記録媒体コントローラ４１ｂを介して記録媒体４１ａに記録画像が存在するか否かを判定する（ステップＳ２０１）。記録画像が存在しない場合（ステップＳ２０１：Ｎｏ）、動作はステップＳ２１１に移行する。
【００７６】
一方、記録画像が存在する場合（ステップＳ２０１：Ｙｅｓ）、モード設定部５６は、記録媒体コントローラ４１ｂによって前回再生モードが設定された時に最後に表示された画像（最終画像）の画像データを記録媒体４１ａから読み出す（ステップＳ２０２）。続いて、表示制御部５５は、この画像データに対応する画像を表示部３０に再生表示させる（ステップＳ２０３）。
【００７７】
画像が表示されている間に、息検出部２３において周波数約３００Ｈｚの音声が０．４〜０．６秒間続く息吹きかけパターン（図４参照）が検出され、息吹きかけ音の入力があったと判断された場合は（ステップＳ２０４：Ｙｅｓ）、動作はステップＳ２２０の再生モード時吹きかけ検出モード（１）のサブルーチンに移行する。一方、このような息吹きかけパターンが検出されない場合（ステップＳ２０４：Ｎｏ）には、更に、操作入力部２１に対して何らかのキー押下がある場合に（ステップＳ２０５：Ｙｅｓ）、動作はメインルーチンに戻る。また、息吹きかけパターンが検出されない場合（ステップＳ２０４：Ｎｏ）であって、何らキー押下がない場合には（ステップＳ２０５：Ｎｏ）、動作はステップＳ２０３に戻る。
【００７８】
次に、ステップＳ２１１における処理について説明する。
ステップＳ２１１において、表示制御部５５は、画像がない旨の警告を表示部３０に表示させる。その後、操作入力部２１に対して何らかのキー押下があると（ステップＳ２１２：Ｙｅｓ）、動作はメインルーチンに戻る。一方、何らキー押下がない場合に（ステップＳ２１２：Ｎｏ）、息検出部２３において周波数約３００Ｈｚの音声が０．４〜０．６秒間続く息吹きかけパターンが検出され、息吹きかけ音の入力があったと判断されると（ステップＳ２１３：Ｙｅｓ）、動作は再生モード吹きかけ検出モード（２）のサブルーチンに移行する（ステップＳ２１４）。反対に、このような息吹きかけパターンが検出されない場合には（ステップＳ２１３：Ｎｏ）、動作はステップＳ２１１に戻る。
【００７９】
次に、ステップＳ２２０における再生モード時吹きかけ検出モード（１）について説明する。図１７は、再生モード時吹きかけ検出モード（１）におけるカメラ１の動作を示すフローチャートである。
まず、ステップＳ２２１において、表示制御部５５は、再生モード時吹きかけ検出モード（１）に移行した旨を表す文字やアイコン等を表示部３０に表示させる。
【００８０】
続くステップＳ２２２においては、ユーザ検出部２２において、ユーザ１００の顔を検出してユーザ１００の顔位置を表す信号を出力する顔検出処理が実行される。この顔検出処理の内容は、図９のステップＳ１３１〜Ｓ１３６における処理と同様である。
【００８１】
この顔検出処理において、ユーザ１００の顔が検出された場合に（ステップＳ２２３：Ｙｅｓ）、息を吹きかけたのはユーザ１００であると判断され、動作はステップＳ２２４へ移行する。一方、ユーザ１００の顔が検出されなかった場合には（ステップＳ２２３：Ｎｏ）、動作はメインルーチンのステップＳ１０９へ移行する。
【００８２】
続くステップＳ２２４において、傾き判定部２５は、加速度センサ２４からの検出信号及び／又はユーザ検出部２２からの出力信号から、カメラ１の傾きを判定する。なお、傾きの判定方法については、図８のステップＳ１１５において説明したものと同様である。
【００８３】
ステップＳ２２５において、モード設定部５６は、傾き判定部２５により判定された傾きに応じて、実行する処理を決定する。即ち、カメラ１の傾きが０度である場合（ステップＳ２２５：０°）、カメラ１のモードを撮影モードに切り替える（ステップＳ２２６）。この場合、その後動作は図５のステップＳ１０３に移行する。また、上記傾きがプラス４５度である場合（ステップＳ２２５：＋４５°）、現在表示部３０に表示されている画像の１つ前の画像を表す画像データを記録媒体４１ａから読み出す（ステップＳ２２７）。一方、上記傾きがマイナス４５度である場合（ステップＳ２２５：−４５°）、現在表示部３０に表示されている画像の次の画像を表す画像データを記録媒体４１ａから読み出す（ステップＳ２２８）。ステップＳ２２７又はＳ２２８の後、動作はメインルーチンに戻り、新たに読み出された画像データに対応する画像が表示部３０に再生表示される（図１６のステップＳ２０３）。
【００８４】
次に、ステップＳ２１４における再生モード時吹きかけ検出モード（２）について説明する。図１８は、再生モード時吹きかけ検出モード（２）におけるカメラ１の動作を示すフローチャートである。
まず、ステップＳ２３１において、表示制御部５５は、再生モード時吹きかけ検出モード（２）に移行した旨を表す文字やアイコン等を表示部３０に表示させる。
【００８５】
続くステップＳ２３２においては、ユーザ検出部２２において、ユーザ１００の顔を検出してユーザ１００の顔位置を表す信号を出力する顔検出処理が実行される（ステップＳ２３２）。この顔検出処理の内容は、図９のステップＳ１３１〜Ｓ１３６における処理と同様である。なお、図９のステップＳ１３４において顔がないと判定された場合、動作は図１６のステップＳ２１１に戻る。
【００８６】
この顔検出処理において、ユーザ１００の顔が検出された場合に（ステップＳ２３３：Ｙｅｓ）、息を吹きかけたのはユーザ１００であると判断され、動作はステップＳ２３４へ移行する。一方、ユーザ１００の顔が検出されなかった場合には（ステップＳ２３３：Ｎｏ）、動作はメインルーチンのステップＳ１０９へリターンする。
【００８７】
続くステップＳ２３４において、傾き判定部２５は、加速度センサ２４からの検出信号及び／又はユーザ検出部２２からの出力信号から、カメラ１の傾きを検出する。なお、傾きの検出方法については、図８のステップＳ１１５において説明したものと同様である。
【００８８】
傾き判定部２５により判定された傾き（即ち、鉛直方向に対する基準面Ｐの角度）が０度である場合（ステップＳ２３５：０°）、モード設定部５６は、カメラ１を撮影モードに切り替える（ステップＳ２３６）。その後、動作は図５のステップＳ１０３に移行する。また、上記角度が０度以外である場合（ステップＳ２３５：その他）、動作はステップＳ２１１に戻る。
【００８９】
以上説明したように、本実施の形態によれば、カメラ１への息の吹きかけとカメラ１の傾きとの組み合わせにより、種々の処理やモード設定を行うことができる。従って、ユーザの片手がふさがっている場合においても、カメラ１に対する入力操作を容易且つタイムリーに行うことが可能となる。
【００９０】
上記実施の形態においては、カメラ１の傾きを０度、プラス４５度、及びマイナス４５度の３段階で判別したが、判別する段階数や、各段階における角度は上記実施の形態に限定されず、所望の設定とすることができる。例えば、±３０度の２段階としても良いし、０度、±３０度、±６０度の５段階としても良い。
【００９１】
また、上記実施の形態においては、周波数３００Ｈｚ近傍の音声が０．４〜０．６秒続いた場合に息の吹きかけ音と判定したが、周波数や継続時間の値は上記数値に限定されず、所望の設定とすることができる。また、周波数の代わりに音声の強度によって吹きかけを判定しても良い。さらに、複数種類の息の吹きかけを判別するようにしても良い。例えば、継続時間の異なる２種類の息の吹きかけ音（例えば、継続時間が０．４〜０．６秒の短息及び継続時間が１〜１．５秒の長息）をそれぞれ検出し、吹きかけ時間の長短の組み合わせと、設定モードや処理の内容とを対応付けても良い。
【００９２】
さらに、上記実施の形態においては、音声検出及び顔検出により撮影者または再生操作を行う操作者による息の吹きかけの有無を判定したが、それ以外の現象を検出することにより、息の吹きかけの有無を判定しても良い。例えば、急激な温度や湿度の変化や衝撃を検出しても良いし、それらと顔検出とを組み合わせても良い。
【００９３】
なお、上記実施の形態の変形例として、音声入力とユーザの顔とを同時に検出するようにしても良い。この場合には、背面撮像部２２ａの電源を常時ＯＮにしておけば良い。
なお、本実施の形態には以下のデジタルカメラの構成も含まれている。即ち、カメラの背面に配置され、ユーザが自己に息を吹きかけたことを検出する息検出手段と、カメラの背面に配置され、当該カメラの背面に位置している対象物を撮像するユーザ撮像手段と、上記ユーザ撮像手段によって撮像された画像から、カメラの背面にユーザが存在していると判定するユーザ判定手段と、ユーザが存在すると判定された際に、その画像から当該ユーザの位置を解析する解析手段と、上記解析手段によって解析されたユーザの位置からカメラ本体の傾きを判定する傾き判定手段と、上記傾き判定手段によって判定された傾きと上記息検出手段によって検出された息の吹きかけ状態からカメラのモードを設定するモード設定手段と、を具備したことを特徴とする。
【００９４】
以上説明した実施の形態においては、息の吹きかけによるモード変更（入力操作）をコンパクトデジタルカメラに適用しているが、デジタル一眼レフカメラやデジタル一眼カメラ、デジタルビデオカメラや、カメラ付き携帯電話等の撮影機能を備えた各種電子機器に適用することができる。
【符号の説明】
【００９５】
１  デジタルカメラ
２  レンズ部
３  レンズ駆動部
４  絞り駆動部
５  シャッタ駆動部
５ａ  シャッタ
６  撮像素子
７  信号処理部
１０  被写体撮像部
８  発光部
２１  操作入力部
２１ａ  電源スイッチ
２１ｂ  レリーズスイッチ
２１ｃ  モード切換スイッチ
２１ｄ  操作スイッチ
２１ｅ  ズームスイッチ
２２  ユーザ検出部
２２ａ  背面撮像部
２２ｂ  画像データ解析部
２２ｃ  判定部
２３  息検出部
２３ａ  音声入力部
２３ｂ  音声認識部
２３ｃ  回数判定部
２４  加速度センサ
２５  傾き判定部
３０  表示部
４１  記録媒体インタフェース
４１ａ  記録媒体
４２  不揮発性メモリ
４２ａ  プログラム記憶部
４２ｂ  制御パラメータ記憶部
４３  揮発性メモリ
４３ａ  ワークエリア
５０  システムコントローラ
５１  画像処理部
５２  レンズ制御部
５３  絞り制御部
５４  フラッシュ制御部
５５  表示制御部
５６  モード設定部
１００  ユーザ
１１０  検出範囲
１２０  顔の画像
【図１】
2012054719.tif 000003
【図２】
2012054719.tif 000004
【図３】
2012054719.tif 000005
【図４】
2012054719.tif 000006
【図５】
2012054719.tif 000007
【図６】
2012054719.tif 000008
【図７】
2012054719.tif 000009
【図８】
2012054719.tif 000010
【図９】
2012054719.tif 000011
【図１０】
2012054719.tif 000012
【図１１】
2012054719.tif 000013
【図１２】
2012054719.tif 000014
【図１３】
2012054719.tif 000015
【図１４】
2012054719.tif 000016
【図１５】
2012054719.tif 000017
【図１６】
2012054719.tif 000018
【図１７】
2012054719.tif 000019
【図１８】
2012054719.tif 000020